(57)【要約】【課題】高気圧酸素カプセルを使用する使用者の安全性や利便性を向上するために、カプセルの内部に設けた空気圧センサに接続された操作パネルと、カプセルの内部の空気圧を排出する排気弁と、カプセルに設けた開口部を開閉するドアの左右に設けた手すりに関して改善をした高気圧酸素カプセルを提供する。【解決手段】カプセルの内部に設けた空気圧センサを備える操作パネルとカプセルの外部に設けた操作パネルとを接続し、内部と外部の操作パネルの両方からカプセル内の空気圧の調整と空気供給の停止又は起動とを可能にし、排気弁をカプセルの周面であってカプセルの内部に入った使用者が横に寝た状態で手の届く範囲に設け、開口部の下方に水平状に取り付けた補強部材から立ち上がった状態で取り付けられた手すりをカプセルの外周に沿って湾曲状に形成すると共に、補強部材から立ち上がった手すりの立上り部を直線の垂直状に形成した。【選択図】図１
2018192223.tif 000002
【特許請求の範囲】
【請求項１】
剛性材料による密閉状円筒体のカプセルの内部に使用者が横に寝た状態で収容されると共に、カプセルの内部に酸素含有空気を送り込んでその内部を高気圧状態にする高気圧酸素カプセルにおいて、カプセルの内部に設けた空気圧センサを備える操作パネルと、カプセルの外部に設けた操作パネルとを接続し、これらの内部と外部の操作パネルの両方からカプセル内で測定した空気圧に基づいてカプセル内の空気圧の調整と空気供給の停止又は起動とを可能にしたことを特徴とする高気圧酸素カプセル。
【請求項２】
剛性材料による密閉状円筒体のカプセルの内部に使用者が横に寝た状態で収容されると共に、カプセルの内部に酸素含有空気を送り込んでその内部を高気圧状態にする高気圧酸素カプセルにおいて、カプセルの内部の高気圧空気をカプセルの外部に放出するための排気弁をカプセルの周面であってカプセルの内部に入った使用者が横に寝た状態で手の届く範囲に設けたことを特徴とする高気圧酸素カプセル。
【請求項３】
剛性材料による密閉状円筒体のカプセルの内部に使用者が横に寝た状態で収容されると共に、カプセルの内部に酸素含有空気を送り込んでその内部を高気圧状態にする高気圧酸素カプセルにおいて、カプセルの側部から上部にかけて設けた開口部を開閉するドアを設けると共に、開口部の下方に水平状に取り付けた補強部材から立ち上がった状態で取り付けられた手すりをカプセルの外周に沿って湾曲状に形成すると共に、補強部材から立ち上がった手すりの立上り部を直線の垂直状に形成したことを特徴とする高気圧酸素カプセル。
【発明の詳細な説明】
【技術分野】
【０００１】  本発明は、使用者がカプセルの内部に入った状態で、高気圧状態の酸素含有空気を使用者の身体に供給するようにした高気圧酸素カプセルに関する。
【背景技術】
【０００２】  従来、密閉可能に構成されたカプセルの内部に使用者が入り、このカプセルの内部に酸素含有空気を送り込んでカプセル内の気圧を大気圧より高くすることで、カプセル内の使用者の身体に多量の酸素を供給するようにした高気圧酸素カプセルが知られている。【０００３】  このような高気圧酸素カプセルに入った使用者の身体は、気圧が高まることで血液中に酸素が溶けやすくなるため、酸素が末梢の毛細血管内を通過して体内の隅々まで供給されることになる。このため、体内の血行が促進され、代謝活動が活発になり、速やかな疲労回復を促進し、冷え性を防いだり、血行障害による痛みをやわらげたり、ダイエットや美容又は健康を改善する等に有益となる。【０００４】  上記の高気圧酸素カプセルにおいては、種々の安全性を確保する必要がある。そのための構成として、特許文献１を参照しながら説明する。この文献の高気圧酸素カプセルは、使用者がカプセルの内部に入るときの安全性を確保するために、カプセルに設けた開口部の左右にカプセル本体の外周に沿って湾曲状に形成した手すりが設けられ、使用者は手すりを握って内部に入ることができる。【０００５】  また、使用者がカプセルの内部に入ってドアを閉じた後、コンプレッサで加圧した空気をカプセル内に導入することでカプセル内が高気圧状態となる。このような操作は、カプセルの外部にいるオペレータ等の第三者が操作できるように、カプセルの上部に操作パネルが設けられ、第三者がコンプレッサの作動スイッチを操作したり、カプセル内の空気圧を調整したりすることが可能である。【０００６】  さらに、特許文献２に示すように、カプセルの端部に排気弁（特許文献２では「リリーフ機構」と称する）を設けることによって、カプセル内の使用者が身体に異常を感じたとき等の緊急時に、使用者自身の手で排気弁を操作することで、カプセル内の高圧空気を外部に抜いて、大気圧状態まで減圧することが可能である。
【先行技術文献】
【特許文献】
【０００７】
【特許文献１】特開２０１３−１２１３９６号公報
【特許文献２】特開２００９−１０１１７６号公報
【発明の概要】
【発明が解決しようとする課題】
【０００８】  従来の高気圧酸素カプセルにおいては、上記のように種々の安全対策が取られている。しかしながら、例えば、特許文献１において、操作パネルはカプセルの外方上部に設けられているため、使用者がカプセルの内部に入った状態で自ら操作パネルを操作することは不可能である。【０００９】  さらに、特許文献１において、使用者がカプセルの内部に入るときに補助として握る手すりはカプセルの上部に設けられているだけである。このような手すりの下端部は、開口部の下部に沿って横方向に取り付けられた補強部材に固定するのが望ましいが、カプセルの構造によっては、補強部材が取り付けられていない場合もある。【００１０】  いずれにしても、湾曲形状の手すりをカプセルの外周に沿って開口部の下部まで延長すると、カプセルの側部に湾曲形状の手すりが突出した状態になって、カプセル全体の幅寸法が拡大する。こうなると、カプセルを施設や家庭の室内に搬入する際、カプセルの側方に突出した手すりが室内への入口の幅内を通過することができず、室内に搬入することができないという不都合も生じる。【００１１】  なお、上記のように、手すりが室内に搬入する際の支障とならないように、カプセルの幅を縮小することも考えられるが、こうすると、カプセル内で横に寝た状態の使用者が窮屈になるため、カプセルの幅はできるだけ大きくするのが望ましい。【００１２】  さらに、特許文献２においては、カプセルの端部に排気弁であるリリーフ機構が設けられているが、この位置はカプセル内に横に寝た使用者の頭部の上方になるため、排気弁が視線に入らない状態となる。このため、緊急に使用者自身の手で排気弁を操作する際、排気弁の存在に気が付かず、又は操作に戸惑ってしまうという不都合が生じる。【００１３】  本発明は、上記の事情に鑑みてなされたものであり、高気圧酸素カプセルを使用する使用者の安全性や利便性を向上するため、カプセル内の空気圧の操作（操作パネルの操作）をカプセルの外部で行うと共に、使用者がカプセルの内部において横に寝た状態で行うことができ、さらに緊急時においては、使用者がカプセルの内部で排気弁を容易且つ迅速に操作することによってカプセル内の空気を抜いて減圧することが可能な高気圧酸素カプセルを提供することを目的とする。【００１４】  また、本発明は、楽に横に寝た状態で使用することが可能なようにカプセルの径方向の幅をできるだけ大きくとることで、操作パネルと排気弁の操作を容易に行うことを可能にすると共に、カプセルの外部に設けた手すりが搬入時の邪魔にならない構成とした高気圧酸素カプセルを提供することを目的とする。
【課題を解決するための手段】
【００１５】  上記の問題を解決するために、本発明における請求項１の高気圧酸素カプセルは、剛性材料による密閉状円筒体のカプセルの内部に使用者が横に寝た状態で収容されると共に、カプセルの内部に酸素含有空気を送り込んでその内部を高気圧状態にする高気圧酸素カプセルにおいて、カプセルの内部に設けた空気圧センサを備える操作パネルと、カプセルの外部に設けた操作パネルとを接続し、これらの内部と外部の操作パネルの両方からカプセル内で測定した空気圧に基づいてカプセル内の空気圧の調整と空気供給の停止又は起動とを可能にしたことを特徴とする。【００１６】  また、本発明における請求項２の高気圧酸素カプセルは、剛性材料による密閉状円筒体のカプセルの内部に使用者が横に寝た状態で収容されると共に、カプセルの内部に酸素含有空気を送り込んでその内部を高気圧状態にする高気圧酸素カプセルにおいて、カプセルの内部の高気圧空気をカプセルの外部に放出するための排気弁をカプセルの周面であってカプセルの内部に入った使用者が横に寝た状態で手の届く範囲に設けたことを特徴とする。【００１７】  本発明における請求項３の高気圧酸素カプセルは、剛性材料による密閉状円筒体のカプセルの内部に使用者が横に寝た状態で収容されると共に、カプセルの内部に酸素含有空気を送り込んでその内部を高気圧状態にする高気圧酸素カプセルにおいて、カプセルの側部から上部にかけて設けた開口部を開閉するドアを設けると共に、開口部の下方に水平状に取り付けた補強部材から立ち上がった状態で取り付けられた手すりをカプセルの外周に沿って湾曲状に形成すると共に、補強部材から立ち上がった手すりの立上り部を直線の垂直状に形成したことを特徴とする。
【発明の効果】
【００１８】  本発明の高気圧酸素カプセルにおいて、カプセルの内部に設けた空気圧センサを備える操作パネルと、カプセルの外部に設けた操作パネルとを接続し、これらの内部と外部の操作パネルの両方からカプセル内で測定した空気圧に基づいてカプセル内の空気圧の調整と空気供給の停止又は起動とが可能とされている。【００１９】  このような構成によって、使用者以外の第三者である、例えば操作に習熟したオペレータが、カプセルの外部に設けた操作パネルを操作することによって、安全にカプセル内の空気圧の調整と空気供給の停止又は起動をすることが可能となる。【００２０】  また、カプセルの内部に入った使用者は、カプセルの外部にオペレータ等の第三者が不在であったり、空気圧の異常時や体調の不良等の緊急の際に、カプセルの内部の操作パネルを操作することによって、カプセル内の空気圧の調整と空気供給の停止又は起動等をすることが可能となり、カプセル内の空気圧に関する安全性を確保することが可能となる。【００２１】  また、本発明の高気圧酸素カプセルにおいて、カプセルの内部に送り込んだ空気圧で押圧することによって閉塞される排気弁をカプセルの周面であってカプセルの内部に入った使用者が横に寝た状態で容易に手の届く範囲に設けた構成としている。【００２２】  なお、従来の高気圧酸素カプセルにおいては、カプセル本体の端面の中央に排気弁を設けていたのであるが、このような構成の場合、カプセルの内部に入って横に寝た使用者は頭部の上方に排気弁が位置することになって、視覚に入らないうえ、手も届きにくい状態になる。この状態では、使用者がカプセル内の空気圧に異常を感じた時や体調が不良となったとき等には、精神的にも落ち着きを失っているため、排気弁の存在すら気が付かないおそれもある。【００２３】  しかしながら、本発明のように、排気弁をカプセルの周面であってカプセルの内部に入った使用者が横に寝た状態で手の届く範囲に設けた構成とすることにより、横に寝た状態の使用者は容易且つ迅速に排気弁を目視することができ、容易に手を伸ばすことによって排気弁を操作することで、カプセル内の空気圧を外部に抜いて大気圧と同様の状態にすることが可能となる。【００２４】  さらに、本発明の高気圧酸素カプセルにおいては、カプセルの側部から上部にかけて設けた開口部を開閉するドアを設けると共に、開口部の下方に水平状に取り付けた補強部材から立ち上がった状態で取り付けられた手すりをカプセルの外周に沿って湾曲状に形成すると共に、補強部材から立ち上がった手すりの立上り部を直線の垂直状に形成した構成としている。【００２５】  このような構成により、カプセルの側部に手すりの湾曲形状が突出することがないため、カプセルの片側部に相当する径方向の幅を縮小することができ、その分のカプセルの内部の径方向の幅を拡大することが可能となる。こうすることによって、窮屈になりがちなカプセルの内部空間に余裕ができ、高気圧酸素の供給中も安楽に横になることができ、緊急時においても、内部に設けた操作パネルや排出弁の手作業による操作を容易に行うことが可能となる。
【図面の簡単な説明】
【００２６】
【図１】本発明の実施例における高気圧酸素カプセルの斜視図であり、（ａ）はドアを閉めた状態を示し、（ｂ）はドアを開けた状態を示す。
【図２】（ａ）は本発明の実施例における高気圧酸素カプセルのドアを開けた状態の正面図であり、（ｂ）は背面図である。
【図３】（ａ）は本発明の実施例における高気圧酸素カプセルのドアを閉めた状態の正面図であり、（ｂ）は底面図である。
【図４】本発明の実施例における高気圧酸素カプセルの周面図であり、（ａ）は右側面図、（ｂ）は左側面図である。
【図５】（ａ）は本発明の実施例における高気圧酸素カプセルの内部を示す図であり、（ｂ）はコンプレッサを内蔵した操作パネルを示す正面図である。
【図６】本発明の実施例における高気圧酸素カプセルを支持台で支持した状態の正面図である。
【図７】本発明の実施例における高気圧酸素カプセルの排気弁を示す図であり、（ａ）（ｂ）はそれぞれ排気弁の右側面図、正面図、左側面図であり、（ｃ）は弁本体に取り付けた排気弁を閉じた状態を示す断面図であり、（ｄ）は弁本体に取り付けた排気弁を開いた状態を示す断面図である。
【発明を実施するための形態】
【００２７】  以下、本発明の実施例について図面を参照しながら説明する。
【実施例】
【００２８】  図１〜図４に示すように、本発明による高気圧酸素カプセル１のカプセル本体２は金属製又はＦＲＰ等による剛性材料によって形成され、筒体の両端を外方に曲面状に膨れた形状に形成すると共に、カプセル本体２の片側（内部に横に寝た使用者の頭部側）寄りに、水平方向に長い開口部３がカプセル本体２の側方から上方にかけて形成されている。【００２９】  このような構成において、開口部３の内側には、開口部３よりもやや大きい形状のドア４が取付けられている。このドア４は透明の合成樹脂板等によって形成され、カプセル本体２の周部の形状と同様に湾曲している。また、ドア４は、カプセル本体２に設けた開口部３の上辺と下辺の内側に沿って取り付けられたガイドレール（不図示）に沿ってスライドすることが可能であり、このドア４で開口部３を開閉することが可能である。【００３０】  ドア４の外部にはハンドル５が取り付けられ、ハンドル５を握ってドア４を開閉することが可能である。また、開口部３の周部には伸縮性を有するクッション６が固定され、ドア４を閉じた状態でカプセル１の内部に酸素含有空気を送り込んだとき、カプセル１内に充満する空気の内圧によってドア４が開口部３の側に押されると、ドア４の外面がクッション６に密着し、カプセル１の内部を気密状にすることが可能となる。【００３１】  さらに、カプセル１の開口部３の上方と下方には、開口部３に沿って水平状に長尺の補強部材７ａ、７ｂが固定されている。これらの上部の補強部材７ａと下部の補強部材７ｂはカプセル１の全長を有するものではなく、開口部３の横幅よりもやや長い形状を有し、開口部３の左右に沿って上下の補強部材７ａ、７ｂに支持された手すり８ａ、８ｂを取り付けることが可能とされている。【００３２】  開口部３の左右に設けられた手すり８ａ、８ｂは金属製パイプによって形成され、それぞれの上端と下端が固定金具９によってボルトとナットで上下の補強部材７ａ、７ｂに固定されている。この手すり８ａ、８ｂは、上部の補強部材７ａにカプセル１の外周から等間隔をなす湾曲状に形成されているが、図４（ａ）（ｂ）に示すように、開口部３の下方に水平状に取り付けた補強部材７ｂの両端付近から立ち上がった立上り部８ｃは直線の垂直状に形成されている。【００３３】  このような構成により、カプセル１の側部に手すり８ａ、８ｂの湾曲形状が突出することがなく、カプセル１の片側部に相当する径方向の幅を縮小することが可能となる。従って、その分のカプセル１内の径方向の幅を拡大することが可能となり、窮屈になりがちなカプセル１の内部空間にも余裕ができ、使用者は楽に横に寝た状態を保つことが可能となる。さらに、カプセル１の内部に横に寝た使用者は、緊急時においても、図５（ａ）に示すカプセル１の内部に設けた操作パネル１２や排気弁１６の手作業による操作を容易に行うことが可能となる。【００３４】  また、図４（ａ）（ｂ）に示すように、下方の補強部材７ｂから立ち上がった手すり８ａ、８ｂの立上り部８ｃを直線の垂直状に形成した構成により、カプセル１の側部に手すり８ａ、８ｂの湾曲形状が突出することがないため、カプセル１の片側に相当する径方向の幅を縮小することができ、その分のカプセル１の���部における径方向の幅を拡大することが可能となる。【００３５】  上記の構成により、カプセル１の外部にいる使用者は、ハンドル５を握ってドア４を横方向に開くことにより開口部３が開放され、開口部３の手すり８ａ、８ｂを握って安全且つ容易に開口部３からカプセル１の内部へ入ることができる。このとき、使用者が握る手すり８ａ、８ｂは、カプセル１の周部に沿って均等に間隔をあけて湾曲状に形成されているため、使用者はカプセル１の内部に入るまで、湾曲状の手すり８ａ、８ｂを握りながら安全にカプセル１内に入ることが可能となる。【００３６】  なお、図５（ａ）に示すように、カプセル１の底部には、カプセル本体２の側部に平行に固定された支持材１１ｂに支持されてなる床材１１が取り付けられているため、図１（ｂ）において、カプセル１の内部に入った使用者は開口部３から身体を上方に出したまま床材１１の上面に立つことができ、次いでその姿勢から床材１１の面上に身体を横たえる動きを安全に行うことができる。【００３７】  また、図５（ａ）に示すように、カプセル１の内部において、開口部３の側の端部の床材１１の上面には枕１１ａが設けられ、使用者は枕１１ａに頭を乗せた姿勢で横に寝た姿勢を保つことができる。【００３８】  一方、本実施例において、図５（ａ）に示すように、カプセル１の内部に設けた空気圧センサ（不図示）を備える操作パネル１２と、カプセル１の外部に設けた操作パネル１３とを接続し、カプセル１内にて空気圧センサで測定した空気圧に基づいて内部と外部の操作パネル１２、１３の両方からカプセル１内の空気圧の調整と空気供給の停止又は起動等を操作することが可能となる。【００３９】  なお、外部の操作パネル１３はカプセル本体２の上面に取り付けた金具枠１３ｂに回動自在に取付け、操作パネル１３の表示面を自由な角度に調整可能としている。【００４０】  また、カプセル１の内部と外部の操作パネル１２、１３には、カプセル１の外部に設けた不図示のコンプレッサに接続され、これらの操作パネル１２、１３にはコンプレッサの起動ボタンや停止ボタンのほかに、上記の空気圧センサによって測定された空気圧をデジタルで表示するデジタル表示や、圧力設定や作動時間設定を行うボタンが設けられている。さらに、これらの内部と外部の操作パネル１２、１３とには、互いに通話が可能なインターホン１２ａ、１３ａが設けられ、緊急時等の必要な際にカプセル１の外部と内部とで通話することも可能である。【００４１】  なお、図３（ｂ）、図４（ａ）（ｂ）に示すように、カプセル本体２は、下部の四方にアングル等で形成した脚部１４を固定した安定状態で支持してある。ただし、図５（ｂ）に示すように、不図示のコンプレッサを別置きのケース１５に収容して、このケース１５の上部に操作パネル１５ａを設けるようにしてもよい。また、図６に示すように、カプセル本体２を箱体の支持台１０の上部に載置して固定し、支持台１０の内部にコンプレッサを設けるようにしても良い。【００４２】  このような構成によって、使用者以外のオペレータ等の第三者が、カプセル１の外部に設けた操作パネル１３を操作することによって、安全にカプセル１内の空気圧の調整と空気供給の停止又は起動等の操作をすることが可能となる。【００４３】  また、カプセル１の内部で横に寝た状態の使用者は、カプセル１の外部にオペレータ等の第三者等が不在であったり、空気圧の異常や体調不良等の緊急の場合に、カプセル１の内部の操作パネル１２を操作することによって、カプセル１内の空気圧の調整や空気供給の停止又は起動等の操作をすることが可能となり、カプセル１内の安全性を確保することが可能となる。【００４４】  また、図５（ａ）に示すように、本発明の高気圧酸素カプセル１において、排気弁１６をカプセル１の周面であってカプセル１の内部に入った使用者が横に寝た状態で手の届く範囲、即ちカプセル１の周面であって横に寝た使用者の頭部付近に設けた構成としている。【００４５】  この排気弁１６は、図７（ｃ）（ｄ）に示すように、カプセル本体２に形成した穿孔部２ａに弁本体１９を固定し、この弁本体１９に排気弁１６を取り付けた構成としている。この構成を詳細に述べると、図７（ａ）（ｂ）に示すように、排気弁１６は外側軸部１８と内側軸部１７との間にフランジ状の弁体２０を介して形成され、外側軸部１８は円柱形の両側を軸に沿って削り落としたような幅広部１８ａと幅狭部１８ｂとを備えた形状としている。【００４６】  また、弁本体１９は、図７（ｃ）（ｄ）に示すように、外側弁本体２１と内側弁本体２２とから構成されている。外側弁本体２１はカプセル本体２の穿孔部２ａの周辺に取り付けた０リング２３でシールされ、この外側弁本体２１には中心孔２１ａが形成されている。さらに、中心孔２１ａの内側に環状突出部２５に囲まれた内腔部２６を有し、中心孔２１ａと内腔部２６との境界には弁座２７が形成され、弁座２７には０リング２８が設けられている。【００４７】  また、内側弁本体２２は、環状突出部２５を包囲した状態でボルト２２ｂで固定することができる。さらに、内側弁本体２２に形成された通気孔２４により、カプセル本体２の内部は通気孔２４と内腔部２６と中心孔２１ａを経てカプセル本体２の外部とを連通状態にすることが可能である。【００４８】  このような構成を組み立てるには、外側弁本体２１の中心孔２１ａに排気弁１６の外側軸部１８を挿入すると共に、排気弁１６の内側軸部１７の外周にスプリング３０を挿着した状態で、内側軸部１７を内側弁本体２２の中心孔２２ａに摺動自在に挿入し、外側弁本体２１の環状突出部２５に内側弁本体２２をボルト２２ｂで固定する。さらに、排気弁１６の外側軸部１８と内側軸部１７との両端部にノブ３２ａ、３２ｂをネジ３１で固定する。【００４９】  上記の構成により、図７（ｃ）に示すように、スプリング３０の付勢力によって排気弁１６の弁体２０は弁座２７の０リング２８に密着して外側弁本体２１の中心孔２１ａを気密状に閉塞する。なお、排気弁１６の弁体２０は環状突出部２５の内径よりも小径に形成されているため、弁体２０の外周は環状突出部２５の内周に対して隙間Ｃ（図７（ｄ）参照）を有することになる。【００５０】  また、排気弁１６をカプセル１の内部に入った使用者が横に寝た状態で手を伸ばし、排気弁１６のノブ３２ｂを引くことによって、図７（ｄ）に示すように、弁体２０は弁座２７から離脱するため、カプセル１内の空気圧は通気孔��４と弁体２０の外周の隙間Ｃと中心孔２１ａを経て外部に放出されることで大気圧と均等になる。なお、カプセル１の外部にいるオペレータ等の第三者が緊急時等に外側のノブ３２ａを押すことにより、上記と同様の作用によってカプセル１内の空気圧を大気圧と同様にすることが可能となる。
【符号の説明】
【００５３】１  高気圧酸素カプセル
２  カプセル本体
２ａ  穿孔部
３  開口部
４  ドア
５  ハンドル
６  クッション
７ａ  上部の補強部材
７ｂ  下部の補強部材
８ａ、８ｂ  手すり
８ｃ  立上り部
９  固定金具
１０  支持台
１１  床材
１１ａ  枕
１１ｂ  支持材
１２  内部の操作パネル
１２ａ  インターホン
１３  外部の操作パネル
１３ａ  インターホン
１３ｂ  金具枠
１４  脚部
１５  ケース
１５ａ  操作パネル
１６  排気弁
１７  内側軸部
１８  外側軸部
１８ａ  幅広部
１８ｂ  幅狭部
１９  弁本体
２０  弁体
２１  外側弁本体
２１ａ  外側弁本体の軸孔
２２  内側弁本体
２２ａ  内側弁本体の軸孔
２２ｂ  ボルト
２３  ０リング
２４  通気孔
２５  環状突出部
２６  内腔部
２７  弁座
２８  ０リング
２９  補強材
３０  スプリング
３１  ボルト
３２ａ、３２ｂ  ノブ
【図１】
2018192223.tif 000003
【図２】
2018192223.tif 000004
【図３】
2018192223.tif 000005
【図４】
2018192223.tif 000006
【図５】
2018192223.tif 000007
【図６】
2018192223.tif 000008
【図７】
2018192223.tif 000009